(57)【要約】【課題】コネクタに結線されケーブルの引出方向を任意に設定できるコネクタを提供する。【解決手段】アングル型アングルエンドベル１５の包囲部１５１の先端部に８つの位置合わせ凸部１５１ｂを周方向へ等間隔に形成する。バレル１６の後端部に位置合わせ凸部１５１ｂと係合する８つの位置合わせ凹部１６２ａを形成する。バレル１６の外周面に３つの誤嵌合防止キー溝１６１ａを周方向へ等間隔に形成した。【選択図】図１
2008192498.tif 000002
【特許請求の範囲】
【請求項１】
所定の嵌合方向で相手側コネクタと嵌合するコネクタにおいて、前記コネクタは、ケーブルが結線されるコンタクトと、このコンタクトを保持するハウジングとを有するコネクタ本体と、
前記ハウジングの少なくとも一部を囲む包囲部と、この包囲部に連結され、前記嵌合方向と直角な方向へ前記ケーブルを引き出すケーブル引出部と、前記包囲部の外周面に形成されたエンドベル側係止部とを有するエンドベルと、
前記相手側コネクタとの誤嵌合を防止する誤嵌合防止部を有し、前記包囲部の先端部に同軸に突き合わされて前記ハウジングの残部を覆うバレルと、
前記エンドベルに対する前記バレルの相対的な回転方向の位置を決めて、前記誤嵌合防止部の回転方向の位置を前記コンタクトの位置に対応させるバレル回転方向位置決定手段と、
前記エンドベル側係止部と係合する第１カップリングナット側係止部と、前記相手側コネクタに設けられた相手側コネクタ側係止部と係合して前記相手側コネクタを係止する第２カップリングナット側係止部を有し、前記エンドベル及び前記バレルを覆うとともに前記バレルを前記エンドベルに突き合せるカップリングナットと
を備えることを特徴とするコネクタ。
【請求項２】
前記バレル回転方向位置決定手段が、複数の位置合わせ凸部と、これらの位置合わせ凸部に対応する複数の位置合わせ凹部とで構成されていることを特徴とする請求項１記載のコネクタ。  
【請求項３】
前記エンドベル側係止部がロック爪であり、前記第１カップリングナット側係止部がロック孔であり、前記第２カップリングナット側係止部が前記相手側コネクタ側係止部と係合する孔を有するロック片であることを特徴とする請求項１又は２記載のコネクタ。
【請求項４】
前記コネクタ本体が前記ハウジングを覆うシールド部材を有し、前記ケーブルがシールド線を有し、このシールド線が前記シールド部材に電気的に接続されていることを特徴とする請求項１、２又は３記載のコネクタ。
【請求項５】
前記エンドベルに前記ケーブルの一端部に沿うように形成されたエンドベル側嵌合部が形成され、
前記カップリングナットに前記エンドベル側嵌合部に嵌合するカップリングナット側嵌合部が形成され、
前記エンドベル側嵌合部及び前記カップリングナット側嵌合部を受容した状態で前記エンドベル及び前記カップリングナットにグランドナットが装着されている
ことを特徴とする請求項４記載のコネクタ。
【請求項６】
前記エンドベルと前記バレルとの間に配置され、前記エンドベルと前記バレルとの間をシールする第１シール部材と、
前記ケーブルの一端部に装着され、前記ケーブルと前記エンドベルとの間及び前記ケーブルと前記グランドナットとの間をシールする第２シール部材と
を備えることを特徴とする請求項５記載のコネクタ。
【発明の詳細な説明】
【技術分野】
【０００１】
この発明はコネクタに関し、特にコネクタに結線されたケーブルのコネクタからの引出方向がコネクタの嵌合・離脱方向に対してほぼ直角なコネクタに関する。
【背景技術】
【０００２】
従来、プラグとエンドベルとアッセンブリナットとからなるコネクタが知られている（下記特許文献１参照）。
【０００３】
プラグはコンタクトとインシュレータとバレルとで構成されている。コンタクトは雄型のコンタクトである。インシュレータはほぼ円柱状であり、コンタクトを保持する。バレルはほぼ円筒状であり、インシュレータを覆う。バレルにはその径方向へ突出する４つのキーが周方向へ等間隔に形成されている。
【０００４】
エンドベルの一端部はプラブの一端部と嵌合し、エンドベルの他端部はコンタクトに結線されたケーブルをプラグの嵌合・離脱方向と直角な方向へ案内する。エンドベルの一端部の内周面には４つのキー溝が周方向へ等間隔に形成されている。これらのキー溝はバレルの４つのキーを受け容れる。したがって、エンドベルの他端部の向きを４つの方向の中から選択できる。
【０００５】
アッセンブリナットはほぼ円筒状であり、プラグとエンドベルとを離脱可能に結合する。
【特許文献１】特開２００１−２６７００６号公報（段落００２４〜００２７、図２参照）
【発明の開示】
【発明が解決しようとする課題】
【０００６】
上述のコネクタでは、エンドベルの他端部の向き、すなわちケーブルの引出方向を９０°単位で変えることができる。
【０００７】
しかし、ケーブルの引出方向を９０°未満の小さな角度単位で変えることができるようにすることが産業界から望まれていた。
【０００８】
この発明はこのような事情に鑑みてなされたもので、その課題はコネクタに結線されるケーブルの引出方向を等間隔で任意に設定できるコネクタを提供することである。
【課題を解決するための手段】
【０００９】
前述の課題を解決するため請求項１の発明のコネクタは、所定の嵌合方向で相手側コネクタと嵌合するコネクタにおいて、前記コネクタは、ケーブルが結線されるコンタクトと、このコンタクトを保持するハウジングとを有するコネクタ本体と、前記ハウジングの少なくとも一部を囲む包囲部と、この包囲部に連結され、前記嵌合方向と直角な方向へ前記ケーブルを引き出すケーブル引出部と、前記包囲部の外周面に形成されたエンドベル側係止部とを有するエンドベルと、前記相手側コネクタとの誤嵌合を防止する誤嵌合防止部を有し、前記包囲部の先端部に同軸に突き合わされて前記ハウジングの残部を覆うバレルと、前記エンドベルに対する前記バレルの相対的な回転方向の位置を決めて、前記誤嵌合防止部の回転方向の位置を前記コンタクトの位置に対応させるバレル回転方向位置決定手段と、前記エンドベル側係止部と係合する第１カップリングナット側係止部と、前記相手側コネクタに設けられた相手側コネクタ側係止部と係合して前記相手側コネクタを係止する第２カップリングナット側係止部を有し、前記エンドベル及び前記バレルを覆うとともに前記バレルを前記エンドベルに突き合せるカップリングナットとを備えることを特徴とする。
【００１０】
上述のように、この発明はエンドベルに対するバレルの相対的な回転方向の位置を決めて、誤嵌合防止部の回転方向の位置をコンタクトの位置に対応させるバレル回転方向位置決定手段を備えているので、バレルをエンドベルに対して相対的に回転させても、バレルは相手側コネクタと常に同じ状態で嵌合でき、バレルの回転位置に応じてケーブル引出部の回転方向の位置が変化する。
【００１１】
請求項２の発明は、請求項１記載のコネクタにおいて、前記バレル回転方向位置決定手段が、複数の位置合わせ凸部と、これらの位置合わせ凸部に対応する複数の位置合わせ凹部とで構成されていることを特徴とする。  
【００１２】
請求項３の発明は、請求項１又は２記載のコネクタにおいて、前記エンドベル側係止部がロック爪であり、前記第１カップリングナット側係止部がロック孔であり、前記第２カップリングナット側係止部が前記相手側コネクタ側係止部と係合する孔を有するロック片であることを特徴とする。
【００１３】
請求項４の発明は、請求項１、２又は３記載のコネクタにおいて、前記コネクタ本体が前記ハウジングを覆うシールド部材を有し、前記ケーブルがシールド線を有し、このシールド線が前記シールド部材に電気的に接続されていることを特徴とする。
【００１４】
請求項５の発明は、請求項４記載のコネクタにおいて、前記エンドベルに前記ケーブルの一端部に沿うように形成されたエンドベル側嵌合部が形成され、前記カップリングナットに前記エンドベル側嵌合部に嵌合するカップリングナット側嵌合部が形成され、前記エンドベル側嵌合部及び前記カップリングナット側嵌合部を受容した状態で前記エンドベル及び前記カップリングナットにグランドナットが装着されていることを特徴とする。
【００１５】
請求項６の発明は、請求項５記載のコネクタにおいて、前記エンドベルと前記バレルとの間に配置され、前記エンドベルと前記バレルとの間をシールする第１シール部材と、前記ケーブルの一端部に装着され、前記ケーブルと前記エンドベルとの間及び前記ケーブルと前記グランドナットとの間をシールする第２シール部材とを備えることを特徴とする。
【発明の効果】
【００１６】
この発明によれば、コネクタに結線されるケーブルの引出方向を等間隔で任意に設定できる。
【発明を実施するための最良の形態】
【００１７】
以下、この発明の実施の形態を図面に基づいて説明する。
【００１８】
図１はこの発明の一実施形態に係るアングル型プラグコネクタの分解斜視図、図２は図１に示すアングル型プラグコネクタの斜視図、図３は図１に示すアングル型プラグコネクタの断面図、図４は図１に示すハウジングにシールド部材を装着する状態を示す斜視図、図５は図４に示すハウジングにシールド部材を装着した状態を示す斜視図、図６は図１に示すアングル型プラグコネクタのアングルエンドベルにシールド部材を装着する過程の途中段階の状態を示す斜視図、図７は図６に示すシールド部材がアングルエンドベルに装着された状態を示す斜視図、図８は図１に示すアングル型プラグコネクタのカップリングナットをアングルエンドベルに装着する前の状態を示す斜視図、図９は図１に示すアングル型プラグコネクタのブッシング及びグランドナットをアングルエンドベル及びカップリングナットに装着する前の状態を示す斜視図、図１０は図９に示すブッシングをアングルエンドベル及びカップリングナットに装着した状態を示す斜視図である。なお、図１０において便宜上ケーブルの図示を省略する。
【００１９】
図１〜３に示すように、アングル型プラグコネクタ１０は、コネクタ本体１００とアングルエンドベル（エンドベル）１５とバレル１６とカップリングナット１８とグランドナット１９とを備える。
【００２０】
図４に示すように、コネクタ本体１００はオス端子（コンタクト）１１とプラグ側ハウジング（ハウジング）１２とシールド部材１３とを有する。
【００２１】
オス端子１１はほぼ板状である。
【００２２】
プラグ側ハウジング１２は端子保持部１２１とコンタクト保持部１２２とワイヤ保持部１２３とを有する。プラグ側ハウジング１２は後述するレセプタクルコネクタ５０のレセプタクル側ハウジング５２と所定の嵌合・離脱方向で嵌合・離脱する。端子保持部１２１とコンタクト保持部１２２とワイヤ保持部１２３とは樹脂で一体に形成されている。端子保持部１２１はほぼ角柱状であり、オス端子１１の接触部が配置される。端子保持部１２１の上面には位置決めキー１２１ａが形成されている。コンタクト保持部１２２はほぼ円板状であり、オス端子１１が圧入され、オス端子１１を保持している。コンタクト保持部１２２の外周面には８つの位置合わせキー溝１２２ａが周方向へ等間隔に形成されている。ワイヤ保持部１２３はほぼ円錐台形であり、コンタクト保持部１２２の後端に結合されている。ワイヤ保持部１２３にはワイヤ挿入孔１２３ａが形成されている（図３参照）。
【００２３】
シールド部材１３はシールド部１３１とクランプ部１３２とを有する。シールド部１３１とクランプ部１３２とは導電性を有する金属薄板で一体に形成されている。シールド部１３１は円筒状であり、プラグ側ハウジング１２に回転可能に装着され、プラグ側ハウジング１２を覆う。シールド部１３１には切り起しにより、一対の位置合わせキー１３１ａが形成されている。一対の位置合わせキー１３１ａはシールド部１３１の中心に対して点対称の位置にあり、シールド部１３１の内側に引っ込んでいる。一対の位置合わせキー１３１ａはプラグ側ハウジング１２の位置合わせキー溝１２２ａに挿入される。位置合わせキー１３１ａが位置合わせキー溝１２２ａに挿入されたとき、プラグ側ハウジング１２に対するシールド部１３１の回転が阻止され、プラグ側ハウジング１２に対するクランプ部１３２の向きが一定に維持される。又、相手側との嵌合側へプラグ側ハウジング１２がシールド部１３１内で移動するのを阻止する。シールド部１３１には３つのランス１３１ｂが周方向へ等間隔に形成されている。ランス１３１ｂは切り起しにより形成され、シールド部１３１の内側に引っ込んでいる。ランス１３１ｂはコンタクト保持部１２２のワイヤ保持部１２３側の側面を支持する。ランス１３１ｂがコンタクト保持部１２２を支持すると、プラグ側ハウジング１２はシールド部１３１内で相手側と離脱する方向へ移動するのを阻止する。また、シールド部１３１の外周面には３つの係止片１３１ｃが周方向へ等間隔に形成されている。
【００２４】
クランプ部１３２はシールド部１３１に対してほぼ直角に結合され、ケーブル２８の一端部をクランプする。この実施形態のアングル型プラグコネクに結線されているケーブル２８はシールド線２８ｂ（図４参照）を有する。クランプ部１３２は３つのクランプ片１３２ａ，１３２ｂ，１３２ｃで構成されている。クランプ片１３２ａ，１３２ｂはシールド部１３１に結合されている。クランプ片１３２ｃはカバー１３３に結合され、カバー１３３はシールド部１３１に結合されている。カバー１３３はシールド部１３１の後端面を開閉する。
【００２５】
図１に示すように、アングルエンドベル１５は包囲部１５１とケーブル引出部１５２とを有する。包囲部１５１とケーブル引出部１５２とは樹脂で一体に形成されている。包囲部１５１は円筒状であり、シールド部１３１の後端部を覆う。包囲部１５１の外周面には３つのロック爪（エンドベル側係止部）１５１ａが周方向へ等間隔に形成されている。包囲部１５１の先端面には８つの位置合わせ凸部（バレル回転方向位置決定手段）１５１ｂが等間隔に形成されている。隣り合う位置合わせ凸部１５１ｂによって位置合わせ凹部（バレル回転方向位置決定手段）１５１ｃが構成されている。また、包囲部１５１の先端部内部には段差面１５１ｄが形成されている。
【００２６】
ケーブル引出部１５２はほぼ円柱状であり、包囲部１５１にほぼ直角に結合され、シールド部材１３のクランプ部１３２を覆う。ケーブル引出部１５２の外周面には３つのロック爪１５２ａが周方向へ等間隔に形成されている。ケーブル引出部１５２の正面には嵌合凸部（エンドベル側嵌合部）１５２ｂが形成されている。嵌合凸部１５２ｂはほぼ直方体状である。
【００２７】
バレル１６は円筒部１６１とフランジ部１６２とを有する。円筒部１６１とフランジ部１６２とは樹脂で一体に形成されている。円筒部１６１はシールド部材１３のシールド部１３１の先端部を覆う。円筒部１６１の外周面には３つの誤嵌合防止キー溝（誤嵌合防止部）１６１ａが周方向へ等間隔に形成されている。誤嵌合防止キー溝１６１ａは嵌合・離脱方向に沿って延びている。円筒部１６１の後端部の内側面には段差面１６１ｂが形成されている（図３参照）。段差面１６１ｂはシールド部材１３の係合片１３１ｃと係合する。
【００２８】
フランジ部１６２は円筒部１６１の後端に結合されている。フランジ部１６２の外周面には８つの位置合わせ凹部（バレル回転方向位置決定手段）１６２ａが等間隔に形成されている。隣り合う位置合わせ凹部１６２ａによって８つの位置合わせ凸部（バレル回転方向位置決定手段）１６２ｂが構成されている。位置合わせ凹部１６２ａはアングルエンドベル１５の位置合わせ凸部１５１ｂに、位置合わせ凸部１６２ｂはアングルエンドベル１５の位置合わせ凹部１５１ｃに、それぞれ嵌合する。位置合わせ凹部１６２ａがアングルエンドベル１５の位置合わせ凸部１５１ｂに、位置合わせ凸部１６２ｂがアングルエンドベル１５の位置合わせ凹部１５１ｃにそれぞれ嵌合すると、バレル１６のアングルエンドベル１５に対する相対的な回転方向の位置が定まる。このとき、バレル１６の誤嵌合防止キー１６１ａとコネクタ本体１００のオス端子１１との位置関係は変わらないので、バレル１６の周方向における誤嵌合防止キー溝１６１ａとプラグ側ハウジング１２に保持されたオス端子１１との位置関係が一定に保たれる。また、バレル１６の回転方向位置に応じてアングルエンドベル１５のケーブル引出部１５２の方向が変わる。以上のように、位置合わせ凸部１５１ｂと位置合わせ凹部１５１ｃと位置合わせ凹部１６２ａと位置合わせ凸部１６２ｂとでバレル回転方向位置決定手段が構成されている。
【００２９】
フランジ部１６２は位置合わせ凹部１６２ａ、位置合わせ凸部１６２ｂをそれぞれ位置合わせ凸部１５１ｂ、位置合わせ凹部１５１ｃに嵌合させた上で、Ｏリング（第１シール部材）２１を介してアングルエンドベル１５の段差面１５１ｄに突き合わされる。これにより、アングルエンドベル１５及びバレル１６の内部空間がシールされる（図３参照）。このとき、アングルエンドベル１５の包囲部１５１とバレル１６とは同軸になる。
【００３０】
図１、８に示すように、カップリングナット１８はカバー部１８１と嵌合部１８２とを有する。カバー部１８１と嵌合部１８２とは樹脂で一体に形成されている。カバー部１８１はほぼ円筒状であり、アングルエンドベル１５の包囲部１５１及びバレル１６１を覆う。カバー部１８１の後端部には３つのロック孔（第１カップリングナット側係止部）１８１ａが周方向へ等間隔に形成されている。また、カバー部１８１の後端部下面には切欠き１８１ｄが形成されている。切欠き１８１ｄはカップリングナット１８がアングルエンドベル１５に接触しないようにするためのものである。また、切欠き１８１ｄによってカバー部１８１の後端部はその径方向で膨らんだり、縮んだりすることができる。したがって、カップリングナット１８を嵌合・離脱方向に沿ってアングルエンドベル１５に装着するとき、カバー部１８１の後端部はロック爪１５１ａを乗り越え、ロック孔１８１ａにアングルエンドベル１５１のロック爪１５１ａが挿入される。この結果、カップリングナット１８がアングルエンドベル１５にロックされる。
【００３１】
カバー部１８１の前端部には、一対のロック片（第２カップリングナット側係止部）１８１ｂが形成されている。一対のロック片１８１ｂはカバー部１８１の中心に対して点対称の位置にある。ロック片１８１ｂはカバー部１８１の径方向へ変形可能であり、孔１８１ｃを有する。孔１８１ｃは後述するレセプタクルコネクタ５０のロック爪５４ｃを受け入れる。このときロック片１８１ｂとロック爪５４ｃとが係合する。また、カバー部１８１の前端部の内周面には複数の位置合わせキー溝１８１ｅが周方向へ等間隔に形成されている。キー溝１８１ｅはレセプタクルコネクタ５０のロック爪５４ｃを受け容れる（図１、１１参照）。
【００３２】
嵌合部１８２はカバー部１８１に対してほぼ直角に結合されている。嵌合部１８２の背面には嵌合凹部（カップリングナット側嵌合部）１８２ａが形成されている（図８参照）。嵌合凹部１８２ａはアングルエンドベル１５の嵌合凸部１５２ｂを受け容れる。
【００３３】
嵌合凹部１８２ａと嵌合凸部１５２ｂとを嵌め合わせた後、グランドナット１９を嵌合部１８２とケーブル引出部１５２に挿入し、カップリングナット１８とアングルエンドベル１５とグランドナット１９の３部品を係合ロックさせることで、これらの固定が強固となり、又、嵌合軸に対する回転方向への強度アップが図れる。
【００３４】
グランドナット１９は有底筒状であり、第１収容部１９１と第２収容部１９２とを有している。第１収容部１９１と第２収容部１９２とは樹脂製で一体に形成されている。第１収容部１９１の横断面形状はほぼ円形であり、その上端部には３つのロック孔１９１ａが形成されている。３つのロック孔１９１ａは収容部１９１の周方向に沿って等間隔に形成されている。ロック孔１９１ａはアングルエンドベル１５のロック爪１５２ａを受け容れる。第１収容部１９１の上端部はその径方向で膨らんだり、縮んだりすることができるので、３つのロック孔１９１ａは第１収容部１９１の径方向でロック爪１５２ａと係合する。
【００３５】
第２収容部１９２の横断面形状はほぼ矩形であり、その上端部にはロック孔１９２ａが形成されている。ロック孔１９２ａはカップリングナット１８のロック爪１８２ｂを受け容れる。第２収容部１９２の上端部はその厚さ方向へ撓むことができるので、ロック孔１９２ａはロック爪１８２ｂとの係合が可能である。
【００３６】
次に、このアングル型プラグコネクタ１０の組立手順について説明する。
【００３７】
まず、図４に示すように、ケーブル２８の先端部の外皮２８ａを除去し、シールド線２８ｂを露出させる。
【００３８】
次に、ケーブル２８の外皮２８ａの先端部にスリーブ２３を装着し、シールド線２８ｂをスリーブ２３の方へ折り返す。
【００３９】
その後、ケーブル２８の先端部の絶縁体２８ｃを除去して４本のワイヤ２８ｄを露出させる（図３参照）。
【００４０】
次に、ワイヤ２８ｄの先端部の被覆２８ｅを除去して電線２８ｆを露出させ（図３参照）、この電線２８ｆをオス端子１１に半田付けする。
【００４１】
その後、図４の矢印Ａのように、プラグ側ハウジング１２をシールド部材１３のシールド部１３１に挿入する。このとき、プラグ側ハウジング１２の端子保持部１２１の上面（位置決めキー１２１ａが形成されている面）に対してシールド部材１３のクランプ部１３２の向きがほぼ直角になるように、シールド部材１３の１対の位置合わせキー１３１ａをプラグ側ハウジング１２の係合部１２２の位置合わせキー溝１２２ａに挿入する。
【００４２】
次に、図４の矢印Ｂのように、ケーブル２８を直角に曲げ、ケーブル２８をシールド線２８ｂのところでクランプ１３２でクランプする。このとき、カバー１３３によってシールド部１３１の後端面が閉じられる。
【００４３】
その後、クランプ部１３２にフェルール２４を装着し、このフェルール２４を図５に示すように６角柱状にかしめる。
【００４４】
以上の作業により、ケーブル２８がオス端子１１及びシールド部材１３に結線される。
【００４５】
次に、図６に示すように、ケーブル２８をアングルエンドベル１５の包囲部１５１及びケーブル引出部１５２に通す。
【００４６】
その後、図７に示すように、シールド部材１３をアングルエンドベル１５内に配置する。
【００４７】
次に、図１に示すように、Ｏリング２１をシールド部材１３のシールド部１３１に装着する。そして、その後、バレル１６の誤嵌合防止キー１６１ａがオス端子１１に対して所定の位置関係になるように、バレル１６の位置合わせ凹部１６２ａ、位置合わせ凸部１６２ｂをそれぞれアングルエンドベル１５の位置合わせ凸部１５１ｂ、位置合わせ凹部１５１ｃに嵌合させるとともに、バレル１６のフランジ部１６２をＯリング２１を介してアングルエンドベル１５の段差面１５１ｄに突き当てる（図３参照）。
【００４８】
次に、カップリングナット１８を図１の矢印のように嵌合方向に沿ってアングルエンドベル１５に装着する。このとき、カップリングナット１８の後端部はその径方向へ広がる。カップリングナット１８の後端部はアングルエンドベル１５のロック爪１５１ａを乗り越えてカップリングナット１８のロック孔１８１ａにロック爪１５１ａが入り、カップリングナット１８の後端部の径が元に戻る。この結果、ロック爪１５１ａが容易にロック爪１５１ａから外れなくなり、カップリングナット１８が強固にアングルエンドベル１５にロックされる。また、このとき、カップリングナット１８の嵌合凹部１８２ａ（図８参照）にアングルエンドベル１５の嵌合凸部１５２ｂが嵌合する。カップリングナット１８がアングルエンドベル１５にロックされると、カップリングナット１８の凸状部１８ａによりフランジ部２６２が押圧されることにより、バレル１６はカップリングナット１８とアングルエンドベル１５とによって挟持される。
【００４９】
その後、ケーブル２８にブッシング（第２シールド部材）２２及びグランドナット１９を装着し、その後、図９の矢印で示すように、ブッシング２２を上方へ移動し、図１０に示すように、アングルエンドベル１５のケーブル引出部１５２に挿入する。このとき、ブッシング２２は圧縮されている。その後、グランドナット１９をアングルエンドベル１５のケーブル引出部１５２及びカップリングナット１８の嵌合部１８２に装着する。このとき、グランドナット１９の上端部はその径方向へ広がるので、グランドナット１９の上端部はそれぞれアングルエンドベル１５のロック爪１５２ａ、カップリングナット１８のロック爪１８２ｂを乗り超えてロック孔１９１ａ，１９２ａにそれぞれロック爪１５２ａ，１８２ｂが入り、グランドナット１９の上端部の径が元に戻る。この結果、ロック爪１５２ａ，１８２ｂがそれぞれロック孔１９１ａ，１９２ａから容易に外れなくなり、グランドナット１９が強固にアングルエンドベル１５及びカップリングナット１８にロックされる。また、ブッシング２２は更に圧縮され、アングルエンドベル１５の内部空間が確実にシールされる。
【００５０】
図１１は図１に示すアングル型プラグコネクタに接続されるレセプタクルコネクタの斜視図、図１２は図１１に示すレセプタクルコネクタの断面図、図１３は図１に示すアングル型プラグコネクタを図１１に示すレセプタクルコネクタに接続する前の状態を示す斜視図、図１４は図１に示すアングル型プラグコネクタを図１１に示すレセプタクルコネクタに接続した後の状態を示す斜視図である。なお、図１３、１４において、ケーブルの図示を便宜上省略する。
【００５１】
図１１、１２に示すように、レセプタクルコネクタ（相手側コネクタ）５０はメス端子５１とレセプタクル側ハウジング５２とグランドシェル５３とシェル５４とを備える。
【００５２】
メス端子５１は接触部５１ａと端子部５１ｂと結合部５１ｃとを有する。接触部５１ａはアングル型プラグコネクタ１０のオス端子１１と接触する。端子部５１ｂはプリント基板６１の導電路（図示せず）に半田付けされる。結合部５１ｃは接触部５１ａと端子部５１ｂとを結合する。
【００５３】
レセプタクル側ハウジング５２はほぼ円筒状であり、受容部５２ａと端子収容孔５２ｂと位置決めキー溝５２ｃとを有する。受容部５２ａはアングル型コネクタ１０のプラグ側ハウジング１２の端子保持部１２１をオス端子１１とともに受け容れる。端子収容孔５２ｂはメス端子５１を収容し、その一端部は受容部５２ａに通じている。位置決めキー溝５２ｃはプラグ側ハウジング１２の位置決めキー１２１ａを受け容れる。
【００５４】
グランドシェル５３は円筒状部５３ａとフランジ部５３ｂとを有する。円筒状部５３ａとフランジ部５３ｂとは導電性を有する金属薄板で一体に形成されている。円筒状部５３ａはレセプタクル側ハウジング５２を覆う。フランジ部５３ｂはプリント基板６１に固定される。
【００５５】
シェル５４は円筒状部５４ａとフランジ部５４ｂとを有する。円筒状部５４ａとフランジ部５４ｂとは合成樹脂で一体に形成されている。シェル５４の円筒状部５４ａはグランドシェル５３の円筒状部５３ａを取り囲む。シェル５４の円筒状部５４ａとグランドシェル５３の円筒状部５３ａとの間には環状空間５５（図１２参照）が形成され、環状空間５５にはバレル１６で覆われたシールド部材１３のシールド部１３１が挿入される。環状空間５５内にシールド部１３１が挿入されたとき、シールド部１３１のランス１３１ｂはグランドシェル５３に接触する。円筒状部５４ａの外周面には８つのロック爪（相手側コネクタ側係止部）５４ｃが周方向へ等間隔に形成されている。円筒状部５４ａの内周面には３つの嵌合メインキー５４ｄが周方向へ等間隔に形成されている。嵌合メインキー５４ｄはアングル型プラグコネクタ１０のバレル１６の誤嵌合防止キー溝１６１ａに挿入される。
【００５６】
フランジ部５４ｂはグランドシェル５３のフランジ部５３ｂに突き合わされ、嵌合メインキー５４ｄとフランジ部５３ｂとの間にはゴム製のＯリング５６が配置される。
【００５７】
次に、アングル型コネクタ１０とレセプタクルコネクタ５０との接続作業について説明する。
【００５８】
まず、図１３に示すように、アングル型プラグコネクタ１０の位置決めキー１２１ａをレセプタクルコネクタ５０の位置決めキー溝５２ｃに、アングル型プラグコネクタ１０の誤嵌合防止キー溝１６１ａをレセプタクルコネクタ５０の嵌合メインキー５４ｄにそれぞれ向き合わせ、アングル型プラグコネクタ１０をレセプタクルコネクタ５０に押し込む。このとき、アングル型コネクタ１０のロック片１８１ｂが弾性変形してレセプタクルコネクタ５０の対応するロック爪５４ｃを乗り越えて、ロック片１８１ｂの孔１８１ｃにロック爪５４ｃが入り、ロック片１８１ｂは元の状態に戻る。このようにして図１４に示すように、アングル型コネクタ１０がレセプタクルコネクタ５０にロックされる。また、アングル型コネクタ１０をレセプタクルコネクタ５０に押し込んだとき、アングル型コネクタ１０のバレル１６の先端部がレセプタクルコネクタ５０の環状空間５５に挿入されるとともに、このバレル１６の先端部によってＯリング５６が潰され、レセプタクル側ハウジング５２の内部空間がシールされる。
【００５９】
更に、アングル型コネクタ１０のシールド部１３１のランス１３１ｂがレセプタクルコネクタ５０のグランドシェル５３に接触し、シールド部材１３とグランドシェル５３とが電気的に接続され、シールドされる。
【００６０】
図１５は図１に示すアングル型プラグコネクタを分解した状態を示す斜視図である。
【００６１】
次に、アングル型コネクタ１０のケーブル２８の引出方向の変更方法について説明する。
【００６２】
例えば、図１４のケーブル２８の引出方向を図１７の引出方向へ変換する場合、まず、アングル型コネクタ１０の各部品を分解し、図４のシールド部材１３のクランプ部１３２の向きを、図１５のアングルエンドベル１５のケーブル引出部１５２の向きと同じになるように、シールド部材１３をプラグ側ハウジング１２に対して回転させ、その後、シールド部材１３の位置合わせきー１３１ａをプラグ側ハウジング１２の位置合わせキー溝１２２ａに挿入する。
【００６３】
その後、バレル１６の誤嵌合防止キー溝１６１ａとオス端子１１との位置関係が図１に示すものと同じになるように、バレル１６の位置合わせ凹部１６２ａと位置合わせ凸部１６２ｂとをそれぞれアングルエンドベル１５の位置合わせ凸部１５１ｂと位置合わせ凹部１５１ｃとに嵌合させる。
【００６４】
後は、前述した組立手順と同様に、カップリングナット１８、ブッシング２２及びグランドナット１９をアングルエンドベル１５に装着する。
【００６５】
図１６は図１５に示すアングル型プラグコネクタを図１１に示すレセプタクルコネクタに接続する前の状態を示す斜視図、図１７は図１５に示すアングル型プラグコネクタを図１１に示すレセプタクルコネクタに接続した後の状態を示す斜視図である。なお、図１６、１７において、ケーブルの図示を便宜上省略する。
【００６６】
この接続作業は、図１３、１４に説明した接続作業と同様であり、まず、図１６に示すように、アングル型プラグコネクタ１０の位置決めキー１２１ａをレセプタクルコネクタ５０の位置決めキー溝５２ｃに、アングル型プラグコネクタ１０の誤嵌合防止キー溝１６１ａをレセプタクルコネクタ５０の嵌合メインキー５４ｄに向い合わせ、アングル型プラグコネクタ１０をレセプタクルコネクタ５０に押し込む。これにより、図１７に示すように、アングル型コネクタ１０がレセプタクルコネクタ５０にロックされる。
【００６７】
この実施形態のアングル型プラグコネクタによれば、部品を組み替えることでケーブルの引出方向を所定の角度で任意に設定することができる。本実施例では、位置合わせキー溝１２２ａ、位置合わせ凹部１６２ａ、及び位置合わせ凸部１５１ｂとがそれぞれ８ケの場合であるが、数を少なくしても良いし、多くした場合にはケーブルの引出方向を更に多くの位置に設定することができる。
【００６８】
シールド部材１３以外の外郭部品（アングルエンドベル１５、バレル１６、カップリングナット１８等）を樹脂製にしたので、ローコスト、小型化、軽量化を達成できる。
【００６９】
カップリングナット１８のアングルエンドベル１５に対するロック、グランドナット１９のアングルエンドベル１５に対するロックを直線的な押込み操作で行うことができるので、アングル型プラグコネクタ１０の組立作業を簡単且つ確実に行うことができる。
【００７０】
また、このアングル型プラグコネクタは防水性及びシールド性を有する。
【００７１】
なお、この実施形態では防水性、シールド性を付与したが、防水性及びシールド性を付与しなくても構わない。
【図面の簡単な説明】
【００７２】
【図１】図１はこの発明の一実施形態に係るアングル型プラグコネクタの分解斜視図である。
【図２】図２は図１に示すアングル型プラグコネクタの斜視図である。
【図３】図３は図１に示すアングル型プラグコネクタの断面図である。
【図４】図４は図１に示すハウジングにシールド部材を装着する状態を示す斜視図である。
【図５】図５は図４に示すハウジングにシールド部材を装着した状態を示す斜視図である。
【図６】図６は図１に示すアングル型プラグコネクタのアングルエンドベルにシールド部材を装着する過程の途中段階の状態を示す斜視図である。
【図７】図７は図６に示すシールド部材がアングルエンドベルに装着された状態を示す斜視図である。
【図８】図８は図１に示すアングル型プラグコネクタのカップリングナットをアングルエンドベルに装着する前の状態を示す斜視図である。
【図９】図９は図１に示すアングル型プラグコネクタのブッシング及びグランドナットをアングルエンドベル及びカップリングナットに装着する前の状態を示す斜視図である。
【図１０】図１０は図９に示すブッシングをアングルエンドベル及びカップリングナットに装着した状態を示す斜視図である。
【図１１】図１１は図１に示すアングル型プラグコネクタに接続されるレセプタクルコネクタの斜視図である。
【図１２】図１２は図１１に示すレセプタクルコネクタの断面図である。
【図１３】図１３は図１に示すアングル型プラグコネクタを図１１に示すレセプタクルコネクタに接続する前の状態を示す斜視図である。
【図１４】図１４は図１に示すアングル型プラグコネクタを図１１に示すレセプタクルコネクタに接続した後の状態を示す斜視図である。
【図１５】図１５は図１に示すアングル型プラグコネクタを分解した状態を示す斜視図である。
【図１６】図１６は図１５に示すアングル型プラグコネクタを図１１に示すレセプタクルコネクタに接続する前の状態を示す斜視図である。
【図１７】図１７は図１５に示すアングル型プラグコネクタを図１１に示すレセプタクルコネクタに接続した後の状態を示す斜視図である。
【符号の説明】
【００７３】
１００  コネクタ本体  
１１  オス端子（コンタクト）
１２  プラグ側ハウジング（ハウジング）
１５  アングルエンドベル（エンドベル）
１５１  包囲部
１５１ａ  ロック爪（エンドベル側係止部）
１５１ｂ  位置合わせ凸部（バレル回転方向位置決定手段）
１５１ｃ  位置合わせ凹部（バレル回転方向位置決定手段）
１５２  ケーブル引出部
１５２ｂ  嵌合凸部（エンドベル側嵌合部）
１６  バレル
１６１ａ  誤嵌合防止キー溝（誤嵌合防止部）
１６２ａ  位置合わせ凸部（バレル回転方向位置決定手段）
１６２ｂ  位置合わせ凸部（バレル回転方向位置決定手段）
１８  カップリングナット
１８１ａ  ロック孔（第１カップリングナット側係止部）
１８１ｂ  ロック片（第２カップリングナット側係止部）
１８１ｃ  孔
１８２ａ  嵌合凹部（カップリングナット側嵌合部）
１９  グランドナット
２１  Ｏリング（第１シール部材）
２２  ブッシング（第２シール部材）
２８  ケーブル
２８ｂ  シールド線
５０  レセプタクルコネクタ（相手側コネクタ）
５４ｃ  ロック爪（相手側コネクタ側係止部）
【図１】
2008192498.tif 000003
【図２】
2008192498.tif 000004
【図３】
2008192498.tif 000005
【図４】
2008192498.tif 000006
【図５】
2008192498.tif 000007
【図６】
2008192498.tif 000008
【図７】
2008192498.tif 000009
【図８】
2008192498.tif 000010
【図９】
2008192498.tif 000011
【図１０】
2008192498.tif 000012
【図１１】
2008192498.tif 000013
【図１２】
2008192498.tif 000014
【図１３】
2008192498.tif 000015
【図１４】
2008192498.tif 000016
【図１５】
2008192498.tif 000017
【図１６】
2008192498.tif 000018
【図１７】
2008192498.tif 000019